(57)【要約】【課題】  従来の情報処理装置は、広域放送とローカル放送との切り換えを容易に行うことができるものではなかった。【解決手段】  ローカル放送のサービスエリアを認識すると共に、該ローカル放送のサービスエリア近傍に設置された無線送信装置からの無線信号を受信する無線インターフェースを有するローカル放送認識手段１０４，１０５と、該ローカル放送認識手段の出力に応じて前記ローカル放送を受信可能に設定する受信設定手段１０１，１０３と、を備え、前記受信設定手段は、前記無線インターフェースを介して与えられる前記ローカル放送のチャンネルを受信可能に設定するように構成する。【選択図】      図１
2006196993.tif 000002
【特許請求の範囲】
【請求項１】
ローカル放送のサービスエリアを認識すると共に、該ローカル放送のサービスエリア近傍に設置された無線送信装置からの無線信号を受信する無線インターフェースを有するローカル放送認識手段と、
該ローカル放送認識手段の出力に応じて前記ローカル放送を受信可能に設定する受信設定手段と、を備え、
前記受信設定手段は、前記無線インターフェースを介して与えられる前記ローカル放送のチャンネルを受信可能に設定することを特徴とする情報処理装置。
【請求項２】
請求項１に記載の情報処理装置において、
前記無線は、赤外線または無線ＬＡＮであることを特徴とする情報処理装置。
【請求項３】
請求項１に記載の情報処理装置において、
前記ローカル放送認識手段は、特定の広域放送の電界強度の低下を検出して前記ローカル放送のサービスエリアを認識するようになっていることを特徴とする情報処理装置。
【請求項４】
請求項１〜３のいずれか１項に記載の情報処理装置に対して、ローカル放送を送信するローカル放送局を備えることを特徴とするローカル放送システム。
【請求項５】
情報処理装置に設けられ、広域放送とローカル放送を切り換えて受信できる放送受信回路であって、
ローカル放送のサービスエリアが認識されたとき、受信感度を低下させてチャンネルをサーチする手段と、
広域放送とローカル放送との識別を行う手段と、
ローカル放送が認識されたとき、受信感度を戻して当該認識されたローカル放送のチャンネルを受信可能に設定する手段と、を備えることを特徴とする放送受信回路。
【発明の詳細な説明】
【技術分野】
【０００１】
本発明は、情報処理装置およびローカル放送システム、並びに、放送受信回路に関し、特に、放送受信機能を有する携帯端末装置等の情報処理装置および該情報処理装置を用いたローカル放送システム、並びに、情報処理装置に設ける放送受信回路に関する。
【背景技術】
【０００２】
近年、放送受信機能を有する携帯端末装置として、テレビ放送受信機能付携帯電話装置（ＴＶ付携帯電話）が広く提供されつつある。さらに、テレビ放送の受信機能を有する携帯端末装置としては、携帯電話だけでなく、例えば、ＰＤＡ（Personal Digital Assistance）やノート型パーソナルコンピュータ（ノートパソコン）、或いは、携帯型ゲーム器等といった様々なものがある。
【０００３】
ところで、従来、上述したような携帯端末装置で放送を受信するためには、ユーザ自身がそのエリアの放送波（チャンネル）をサーチする必要があった。さらに、携帯端末装置で放送を受信するためには、地域データとしてプリセットしてある局にしかつなぐことができなかったり、或いは、放送区域を跨ぐ場合は、ユーザ自身が次の局をサーチするといった処理を行う必要があった。また、無線ＬＡＮやブルートゥース（bluetooth：登録商標）といった無線インフラだけではデータを同時に複数者に送ることはできず、さらに、パケット通信料が必要になるといった場合もあった。
【０００４】
ところで、従来、放送受信機能を有する携帯電話において、場所を移動してもラジオやテレビ等の広域放送の自動選局および同調を可能とするために、携帯電話用のアンテナから携帯電話基地局の位置情報を受信し、その位置情報を利用して予め対応テーブルに格納された所望の放送局の周波数を求めてその周波数を受信するようにした携帯電話が提案されている（例えば、特許文献１参照）。また、従来、携帯送受信部で地域識別情報を受信し、その受信された地域識別情報が記憶されている地域識別情報と相違する場合には、地域識別情報／放送チャンネル情報変換部により放送チャンネル情報を第２の記憶部に記憶させ、放送受信部の物理チャンネルを変更するようにした放送受信装置も提案されている（例えば、特許文献２参照）。
【０００５】
さらに、従来、地域毎のチャンネル切替えを自動的に行うために、電源をＯＮにして基地局に位置登録を行った後、基地局から位置情報を受信してその位置情報に基づいて受信可能なチャンネルを表示器に表示する。ユーザは、表示器に表示されたチャンネルの中から希望のチャンネルを選択してテレビ画像を表示部に表示するといった携帯端末装置が提案されている（例えば、特許文献３参照）。
【０００６】
また、従来、車などで移動する放送受信装置において、放送サービスエリア域外にて受信状態が劣化した場合にも、大容量の記録装置を必要とせずに最適な放送サービスエリアの放送局情報を確保して受信中の番組を継続して受信可能とすると共に、放送局情報のデータが変更された場合の対応に優れた放送受信装置として、インターネットを介して現在地の緯度経度情報と放送局情報を取得して放送局情報格納メモリに格納し、放送局情報格納メモリに記録した放送局情報に従って選局手段を制御して放送を受信するものも提案されている（例えば、特許文献４参照）。
【０００７】
【特許文献１】特開平０８−１６２９０９号公報
【特許文献２】特開２００３−１７４３７６号公報
【特許文献３】特開２００３−３０９７７４号公報
【特許文献４】特開２００４−０２３５７９号公報
【発明の開示】
【発明が解決しようとする課題】
【０００８】
上述した従来の位置情報を利用した携帯端末装置は、主として広域放送の自動選局を行うものであり、広域放送のサービスエリア間を跨ぐ場合の処理をスムーズに行うためのものであり、例えば、テレビ機能を有する携帯電話等の情報処理装置に対して、そのエリアに密着したローカルな情報を提供するローカル放送を対象とするものではなかった。
【０００９】
さらに、例えば、従来のテレビ受信回路或いは携帯端末装置に搭載してテレビの視聴を可能にするチューナーモジュールは、例えば、ローカル放送のサービスエリアに入った場合でも広域放送とローカル放送との識別ができず、ローカル放送のチャンネルを認識してその表示画面を見るといった面で問題があると考えられる。
【００１０】
本発明は、上述した課題に鑑み、ローカル放送のサービスエリアを認識し、また、広域放送およびローカル放送をスムーズに切り換えてローカル放送を受信可能に設定することのできる情報処理装置およびローカル放送システム、並びに、放送受信回路の提供を目的とする。
【課題を解決するための手段】
【００１１】
本発明の第１の形態によれば、ローカル放送のサービスエリアを認識すると共に、該ローカル放送のサービスエリア近傍に設置された無線送信装置からの無線信号を受信する無線インターフェースを有するローカル放送認識手段と、該ローカル放送認識手段の出力に応じて前記ローカル放送を受信可能に設定する受信設定手段と、を備え、前記受信設定手段は、前記無線インターフェースを介して与えられる前記ローカル放送のチャンネルを受信可能に設定することを特徴とする情報処理装置が提供される。
【００１２】
本発明の第２の形態によれば、ローカル放送のサービスエリアを認識すると共に、該ローカル放送のサービスエリア近傍に設置された無線送信装置からの無線信号を受信する無線インターフェースを有するローカル放送認識手段と、該ローカル放送認識手段の出力に応じて前記ローカル放送を受信可能に設定する受信設定手段と、を備え、前記受信設定手段は、前記無線インターフェースを介して与えられる前記ローカル放送のチャンネルを受信可能に設定することを特徴とする情報処理装置に対して、ローカル放送を送信するローカル放送局を備えることを特徴とするローカル放送システムが提供される。
【００１３】
本発明の第３の形態によれば、情報処理装置に設けられ、広域放送とローカル放送を切り換えて受信できる放送受信回路であって、ローカル放送のサービスエリアが認識されたとき、受信感度を低下させてチャンネルをサーチする手段と、広域放送とローカル放送との識別を行う手段と、ローカル放送が認識されたとき、受信感度を戻して当該認識されたローカル放送のチャンネルを受信可能に設定する手段と、を備えることを特徴とする放送受信回路が提供される。
【発明の効果】
【００１４】
本発明によれば、ローカル放送のサービスエリアを認識し、また、広域放送およびローカル放送をスムーズに切り換えてローカル放送を受信可能に設定することのできる情報処理装置およびローカル放送システム、並びに、放送受信回路を提供することができる。
【発明を実施するための最良の形態】
【００１５】
以下、本発明に係る情報処理装置およびローカル放送システム、並びに、放送受信回路の実施例を、添付図面を参照して詳述する。
【実施例】
【００１６】
図１は本発明が適用される情報処理装置の一例の全体構成を概略的に示すブロック図であり、放送受信機能付携帯端末装置（ＴＶ付携帯電話）を示すものである。
【００１７】
図１に示されるように、本発明が適用されるＴＶ付携帯電話１００は、例えば、テレビラジオ受信機能部１０１、通信用ＲＦ部１０２、ＣＰＵ／ＤＳＰ１０３、赤外線インターフェースの一例であるＩｒＤＡ部１０４、ＷＬＡＮ／ＢＴ（無線ＬＡＮ／ブルートゥース）部１０５、加速度検出部１０６、ＧＰＳ（グローバル・ポジショニング・システム）部１０７、地磁気検出部１０８、ディスプレイ１０９、テンキー１１０、ＡＩＵ（オーディオ・インターフェース・ユニット）１１１、スピーカ１１２およびマイク１１３を備えている。
【００１８】
なお、図１に示すＴＶ付携帯電話は単なる一例であり、本発明の情報処理装置は、例えば、テレビ受信カードまたはテレビ受信モジュール並びに赤外線インターフェースまたは無線ＬＡＮを備えたＰＤＡやノートパソコン等の様々な装置を含むのはいうまでもない。
【００１９】
図２は図１に示す情報処理装置による現在位置および移動状態の検知を説明するための図である。図２において、参照符号１００はＴＶ付携帯電話、２００は広域放送を行うテレビ放送局、２１１〜２１３は携帯電話の基地局、２２１〜２２３はＧＰＳ衛星、そして、２３０はローカル放送局管理サーバを示している。
【００２０】
ＴＶ付携帯電話１００は、例えば、携帯電話１００に設けられたＧＰＳ部１０７により、複数個のＧＰＳ衛星２２１〜２２３からの信号を受信して携帯電話１００を持ったユーザの現在地を検出することができ、このＧＰＳ部１０７で検出された位置情報に対応するローカル放送のチャンネルを受信可能に設定することができる。また、ＴＶ付携帯電話１００は、電話のサービスが提供される近くの基地局の位置から現在の位置、例えば、基地局２１３の位置から携帯電話１００を持ったユーザの現在地を検出することも可能である。
【００２１】
なお、携帯電話１００の位置、すなわち、ＧＰＳ部で検出された位置または近くの基地局２１３による位置に対応するローカル放送の位置情報は、例えば、予め基地局２１３の管理サーバ２３０に登録されていて、基地局２１３を介して携帯電話１００へ提供され、携帯電話１００本体のメモリ容量を消費しないようになっている。
【００２２】
図３は本発明に係る情報処理装置によるローカル放送局の自動検知を説明するための図であり、ＴＶ付携帯電話によるローカル放送局の自動検知を説明するためのものである。図３において、参照符号１００はＴＶ付携帯電話、２００は広域放送を行うテレビ放送局、２４１および２４２はローカル放送を行うローカル放送局を示している。なお、ローカル放送局により放送される内容の例は、後に図６および図７を参照して説明する。
【００２３】
ＴＶ付携帯電話１００は、例えば、携帯電話１００に設けられた赤外線インターフェースであるＩｒＤＡ部１０４によって、各ローカル放送局２４１，２４２に対応して設けられた赤外線送信装置からの赤外線信号を受信してそのローカル放送のチャンネルを認識する。すなわち、赤外線送信装置からの赤外線信号には、対応するローカル放送局から送信される周波数であるチャンネル情報が含まれており、ＴＶ付携帯電話１００は、ＩｒＤＡ部１０４を介して受信された赤外線信号のチャンネル情報によりローカル放送のチャンネルを認識する。
【００２４】
ここで、ローカル放送のチャンネル情報等を携帯電話１００へ提供する手段としては、ＩｒＤＡ規格に準拠した赤外線インターフェースであるＩｒＤＡ部１０４に対応した赤外線送信装置に限定されず、例えば、携帯電話１００のＷＬＡＮ／ＢＴ部１０５に対応した無線送信装置であってもよい。なお、このような赤外線送信装置や無線送信装置は、例えば、ローカル放送のサービスエリア近傍に設置される。
【００２５】
図４は本発明に係る情報処理装置によるローカル放送局の自動検知の一例を説明するためのフローチャートである。
【００２６】
図４に示されるように、まず、ローカル放送局の自動検知処理が開始されると、ステップＳＴ１１において、ＴＶ付携帯電話がテレビ機能モード中でユーザが任意の広域テレビ放送を視聴しているかどうかを判別する。ステップＳＴ１１において、テレビ機能モード中ではないと判別されると処理は終了し、テレビ機能モード中であると判別されると、ステップＳＴ１２に進む。ここで、ＴＶ付携帯電話は、テレビ機能モードの他に、例えば、電話モード、メールモード、インターネットモード、写真撮影モード、ゲームモード等の様々なモードがあり、テレビ機能モードの判別は、テレビ機能を活性化して画面にテレビ画像を表示しているかどうかを示す信号により行うことができる。なお、このステップＳＴ１１は、後述する図５のステップＳＴ２１および図９のステップＳＴ３１と同様である。
【００２７】
ステップＳＴ１２において、ステレオのパイロット信号を検出すると、ステップＳＴ１３に進んでサーチを開始し、例えば、約１０秒間サーチ中の状態画面表示を行う。すなわち、例えば、ＣＭはステレオで放送される可能性が高いことを利用して、パイロット信号を検出することで、放送される番組本体の視聴に影響を与えないタイミングを利用して他のチャンネルのサーチを行って、ステップＳＴ１４に進む。なお、サーチ中の状態画面としては、例えば、サーチ中であることを示すテロップやサーチ中に受信される信号を表示することができる。
【００２８】
ステップＳＴ１４では、サーチによりローカル放送局を検知できたかどうかを判別する。ここで、ローカル放送局のチャンネル情報は、上述したように、例えば、ローカル放送のサービスエリア近傍に設置された赤外線送信装置から提供される。ステップＳＴ１４において、ローカル放送局を検知したと判別されると、ステップＳＴ１５に進んで、ローカル放送局への切り換えを行うかどうかを判別する。また、ステップＳＴ１４において、ローカル放送局を検知しないと判別されると、ステップＳＴ１７に進んで、それまで見ていた通常のテレビ放送、すなわち、任意の広域テレビ放送に復帰する。
【００２９】
ステップＳＴ１５において、ローカル放送局への切り換えを行わないと判別すると、ステップＳＴ１８に進んで、ステップＳＴ１７と同様に、それまで見ていた通常のテレビ放送に復帰する。また、ステップＳＴ１５において、ローカル放送局への切り換えを行うと判別すると、ローカル放送局に切り換えて受信を開始する。なお、ステップＳＴ１５における判別は、例えば、ユーザが携帯電話１００に設けられた所定のボタン（スイッチ）を押圧する等の処理によって行われる。この携帯電話の所定のボタンは、例えば、図３に示すＴＶ付携帯電話１００におけるボタン１１４として設けることができる。
【００３０】
なお、例えば、図３のＴＶ付携帯電話１００において、実際にテレビ放送を受信して試聴するためのチューナ１１５ａの他に、ローカル放送を認識するためのサーチ専用のチューナ１１５ｂを設けた場合には、ローカル放送局を検知した後にローカル放送局に切り換えるかどうかを判別するだけでよいことになる。
【００３１】
図５は本発明に係る情報処理装置によるローカル放送局の自動検知の他の例を説明するためのフローチャートであり、ＴＶ付携帯電話で広域テレビ放送を視聴中において、ローカル放送局を自動検知する処理の他の例を示すものである。
【００３２】
図５に示されるように、まず、ローカル放送局の自動検知処理が開始されると、ステップＳＴ２１において、ＴＶ付携帯電話がテレビ機能モードでユーザが任意の広域テレビ放送を視聴していると判別されると、ステップＳＴ２２で携帯電話に設けられたＩｒＤＡ部１０４が、例えば、１０秒毎に赤外線をサーチして、ステップＳＴ２３に進む。ステップＳＴ２３において、ＩｒＤＡ部１０４が、例えば、赤外線送信装置から送信された赤外線信号を受信すると、ステップＳＴ２４に進んで、例えば、赤外線送信装置からの赤外線信号を受信した旨のテロップを画面に表示する。
【００３３】
さらに、ステップＳＴ２５に進んで、ローカル放送局への切り換えを行うかどうかを判別し、ローカル放送局への切り換えを行わないと判別されると、ステップＳＴ２７に進んで、それまで見ていた通常のテレビ放送、すなわち、任意の広域テレビ放送に復帰し、逆に、ローカル放送局への切り換えを行うと判別されると、ステップＳＴ２６に進んで、ローカル放送局に切り換えて受信を開始する。なお、ステップＳＴ２５における判別は、例えば、ユーザが携帯電話に設けられた所定のボタンを押圧する等の処理によって行われる。なお、この携帯電話の所定のボタンは、例えば、図３に示すＴＶ付携帯電話１００におけるボタン１１４として設けることができる。
【００３４】
図６は本発明に係るローカル放送システムを適用した百貨店の例を概略的に示す図である。図６において、参照符号１００，１００’はＴＶ付携帯電話、１０４，１０４’はＩｒＤＡ（赤外線通信）部、３００は上り用エスカレータ、ＡＴＮ１，ＡＴＮ２はローカル放送局のアンテナ、ＩＲＴ１，ＩＲＴ２は赤外線送信装置、そして、ＵＳＲ，ＵＳＲ’はユーザを示している。
【００３５】
図６に示されるように、例えば、百貨店の１階（１Ｆ）および２階（２Ｆ）におけるエスカレータ３００の近傍には、それぞれ異なるローカル放送局のアンテナＡＴＮ１，ＡＴＮ２が設けられている。このローカル放送局のアンテナＡＴＮ１，ＡＴＮ２の近くには、赤外線送信装置ＩＲＴ１，ＩＲＴ２が設置されていて各ローカル放送局に対応したチャンネル情報を送信するようになっている。
【００３６】
すなわち、１階に居るユーザＵＳＲ’は、１階の天井に設けられた赤外線送信装置ＩＲＴ１からの赤外線信号をＴＶ付携帯電話１００’のＩｒＤＡ部１０４’で受け取って１階用のローカル放送局のチャンネルを受信するように設定され、携帯電話１００’は１階の天井に設けられた１階用のローカル放送局のアンテナＡＴＮ１からの電波を受信して１階のフロア情報を表示する。
【００３７】
そして、ユーザＵＳＲが上り用エスカレータ３００を使用して１階から２階へ移動すると、例えば、エスカレータ３００の２階の出口付近の天井に設けられた赤外線送信装置ＩＲＴ２からの赤外線信号をＴＶ付携帯電話１００のＩｒＤＡ部１０４で受け取って２階用のローカル放送局のチャンネルを受信するように設定され、携帯電話１００は２階の天井に設けられた２階用のローカル放送局のアンテナＡＴＮ２からの電波を受信して２階のフロア情報を表示する。ここで、ユーザＵＳＲおよびＵＳＲ’は、例えば、同一人物であり、ＴＶ付携帯電話１００および１００’並びにＩｒＤＡ部１０４および１０４’は同一のものである。
【００３８】
図７は図６に示すローカル放送システムにおいて本発明に係る情報処理装置に表示される画面の例を示す図である。
【００３９】
図７は、３つの画面Ｐ１，Ｐ２，Ｐ３が３秒毎に表示されて順次入れ替わる（Ｐ１⇒Ｐ２⇒Ｐ３⇒Ｐ１⇒…）様子を示している。具体的に、例えば、２階（紳士服売り場）のフロア案内（情報）を表示する画面Ｐ１において、本日のイベント『ブランドネクタイ３本  １０００円、先着２０名様』を３秒間表示し、次いで、２階の店舗情報（地図）を示す画面Ｐ２を３秒間表示し、そして、イベントを行う店舗（Ｄ店）を点滅表示する画面Ｐ３を３秒間表示する。なお、３秒間の画面Ｐ３の表示が終了すると、再び画面Ｐ１に戻って同様の表示を繰り返す。
【００４０】
上記した図７の例は、単なる一例であり、このような固定の画面を一定時間表示して切り換える以外に、画面をスクロールさせたり、或いは、動画を表示したりといった様々な画像を表示させることができる。また、このようなローカル放送システムは、複数の店舗または売場を有する百貨店や大規模量販店または商店街等の他に、駅のホームや連絡通路、遊園地、さらには、オフィスビル等に設置して、その設置された対象の様々な情報をＴＶ付携帯電話に表示させることができる。
【００４１】
また、前述したように、本発明が適用される情報処理装置としては、ＴＶ付携帯電話だけでなく、例えば、ＰＤＡやノート型パーソナルコンピュータ、或いは、携帯型ゲーム器等といった様々なものを含むのはいうまでもない。
【００４２】
図８は本発明に係る情報処理装置の一例における放送受信回路を概略的に示すブロック図である。なお、図８に示す放送受信回路は、例えば、携帯電話にチューナーモジュールとして組み込むことによりテレビ放送の視聴を可能にするものである。
【００４３】
図８に示されるように、放送受信回路（チューナーモジュール）１は、アンテナ１４に接続されＲＦアンプ（高周波増幅器：ヘッドアンプ）１０ａを有するＲＦ受信回路１０、ＲＦ受信回路１０の出力を復調してビデオ信号Ｖｉｄｅｏおよびオーディオ信号Ａｕｄｉｏを出力する復調回路１１、並びに、ＲＦアンプ１０ａのゲインを制御するトランジスタ１３および抵抗１３ａ，１３ｂを備える。なお、トランジスタ１３としては、バイポーラ型に限定されるものではなくスイッチ機能を有するものであればよい。
【００４４】
ＲＦアンプ１０ａは、テレビ放送、すなわち、広域テレビ放送およびローカルテレビ放送の両方の高周波信号を増幅するもので、復調回路１１からフィードバックされる、例えば、０〜３Ｖの自動ゲイン制御用の制御電圧ＣＶによりゲインが調整される。なお、ＲＦアンプ１０ａは、制御電圧ＣＶの電位が高いほどゲインが高くなるように制御される。
【００４５】
復調回路１１からＲＦアンプ１０ａに制御電圧ＣＶをフィードバックするラインＦＬと接地ＧＮＤとの間には、抵抗１３ａ，トランジスタ１３および抵抗１３ｂが直列に接続され、トランジスタ１３の制御端子にはＣＰＵ／ＤＳＰ１０３の汎用ポート１２からの制御信号ＣＳが入力されている。
【００４６】
制御信号ＣＳは、例えば、携帯電話を持ったユーザがローカル放送のサービスエリアに居ることを認識してその携帯電話の所定のボタンを押圧したり、或いは、例えば、百貨店等のビルに入った場合に広域放送の電界強度の低下を検出して自動または所定のボタンを押圧した場合等に、トランジスタ１３をオン状態にして制御電圧ＣＶのレベルを下げて受信感度を低下させるといった制御を行うための信号である。詳細は、図９を参照して説明する。なお、図８の構成は単なる一例であり、ＲＦアンプ１０ａのゲイン制御も様々な構成により行われるのはいうまでもない。
【００４７】
図９は図８に示す放送受信回路におけるローカル放送局の検知処理の一例を説明するためのフローチャートであり、ＴＶ付携帯電話で広域テレビ放送を視聴中におけるローカル放送局の検知処理の一例を示すものである。
【００４８】
図８および図９に示されるように、ステップＳＴ３１において、ＴＶ付携帯電話がテレビ機能モードでユーザが任意の広域テレビ放送を視聴していると判別されるとき、ローカル放送局の検索を行う場合、まず、ステップＳＴ３２に進んで、受信回路１０の感度を下げる。ここで、ローカル放送局の検索は、前述したように、例えば、ＴＶ付携帯電話を持ったユーザがローカル放送のサービスエリアに居ることを認識してその携帯電話の所定のボタンを押圧したり、或いは、例えば、百貨店等のビルに入った場合に広域放送の電界強度が低下するのを検出して自動にまたは所定のボタンを押圧することにより開始される。
【００４９】
ステップＳＴ３２における受信感度の低下処理は、具体的に、例えば、制御信号ＣＳを高レベルとしてトランジスタ１３をオンし、抵抗１３ａ，１３ｂにより制御電圧ＣＶを低下（例えば、１Ｖ程度に低下）させてＲＦアンプ１０ａのゲインを下げ、受信回路１０を低感度界モードにする。これにより、広域放送とローカル放送との差が明確になり、ローカル放送局の検索を容易に行うことが可能になる。そして、ステップＳＴ３３に進んで、低感度モードにおいてスキャンを行う。
【００５０】
さらに、ステップＳＴ３４に進んで、放送局を受信したかどうかを判別する。ＴＶ付携帯電話を持ったユーザがローカル放送のサービスエリアに居る場合には、ローカル放送とＴＶ付携帯電話との間の距離が非常に短くなるので、広域放送を受信したときの電界強度よりも、ローカル放送を受信したときの電界強度の方が強くなる。従って、受信感度を下げた状態でスキャンを行うことにより、ローカル放送のみが検出されることになる。
【００５１】
ステップＳＴ３４において、放送局を受信したと判別されると、ステップＳＴ３５に進んで、受信感度を元に戻して通常状態とする。すなわち、ステップＳＴ３５では、制御信号ＣＳを低レベルとしてトランジスタ１３をオフし、制御電圧ＣＶを元の電圧に戻してＲＦアンプ１０ａのゲインを本来の大きさに戻す。そして、ステップＳＴ３６に進んで、ローカル放送局へ切り換えて受信を開始する。なお、ステップＳＴ３６では、ローカル放送が行われている場合には、そのまま受信するようになっているが、前述した図４におけるステップＳＴ１５と同様のステップを挿入して、ローカル放送局への切り換えを行うかどうかを判別し、ローカル放送局への切り換えを行うと判別されたときだけ、ローカル放送局に切り換えて受信を開始するようにしてもよい。
【００５２】
一方、ステップＳＴ３４で、ローカル放送局を受信していないと判別されると、ステップＳＴ３７に進んで、それまで見ていた通常のテレビ放送に復帰する。
【００５３】
このように、本実施例によれば、情報処理装置（携帯端末装置）でローカル放送を受信する際、自動でローカル放送局をサーチし、その存在を知らせること、或いは、自動でそのローカル放送を受信することができる。また、放送受信回路（テレビチューナ）は１系統だけでよい。また、ローカル放送は、無線ＬＡＮやブルートゥース等の無線インフラとは異なり、データを同時に複数者に送ることができ、また、電話のようなパケット使用料等も不要である。
【００５４】
なお、本発明が適用される情報処理装置は、例えば、図１に示されるように、加速度検出部１０６や地磁気検出部１０８を搭載したり、或いは、放送受信用のアンテナとして指向性の強いものを使用する等により、情報処理装置を携帯したユーザの移動方向や必要とする向きの情報（例えば、駅のホームの上り電車に関する情報および下り電車に関する情報）等を必要に応じて表示することもできる。また、例えば、駅ホーム毎に共通のチャンネルを設け、ホームのどの位置にいても同様のローカル放送を受信できるようにしてもよい。
【００５５】
さらに、ローカル放送局のサービスエリア内にそのローカル放送のチャンネルを目視で確認できるように表示したり、或いは、ＲＦＩＤタグをローカル放送局のサービスエリア近傍に設置してもよい。或いは、逆に、意図的に位置情報を登録および表示せず、ローカル放送局の電波の出ているところを探し当て、見つけ出した人にはクーポン券を発行する等のサービスに結び付けることも可能である。このように、本発明の適用は、知られている様々な手法と組み合わせることにより様々なサービスに結びつけることができる。
【００５６】
（付記１）
ローカル放送のサービスエリアを認識すると共に、該ローカル放送のサービスエリア近傍に設置された無線送信装置からの無線信号を受信する無線インターフェースを有するローカル放送認識手段と、
該ローカル放送認識手段の出力に応じて前記ローカル放送を受信可能に設定する受信設定手段と、を備え、
前記受信設定手段は、前記無線インターフェースを介して与えられる前記ローカル放送のチャンネルを受信可能に設定することを特徴とする情報処理装置。
【００５７】
（付記２）
付記１に記載の情報処理装置において、
前記ローカル放送は、ローカルテレビ放送であり、且つ、
前記情報処理装置は、通信機能を有する携帯端末装置であることを特徴とする情報処理装置。
【００５８】
（付記３）
付記１に記載の情報処理装置において、
前記無線は、赤外線または無線ＬＡＮであることを特徴とする情報処理装置。
【００５９】
（付記４）
付記１に記載の情報処理装置において、
前記ローカル放送認識手段は、前記ローカル放送のサービスエリア近傍に設置された無線送信装置からの無線信号を受信する無線インターフェースを備え、
前記受信設定手段は、前記無線インターフェースを介して与えられる前記ローカル放送のチャンネルを受信可能に設定することを特徴とする情報処理装置。
【００６０】
（付記５）
付記４に記載の情報処理装置において、
前記無線インターフェースは、無線ＬＡＮまたは近距離情報通信装置に繋がれることを特徴とする情報処理装置。
【００６１】
（付記６）
付記１に記載の情報処理装置において、該情報処理装置はＧＰＳを備え、
前記ローカル放送認識手段は、前記ＧＰＳで検出された位置情報と前記ローカル放送のサービスエリアの位置情報とを比較して当該ローカル放送のサービスエリアを認識し、
前記受信設定手段は、前記ＧＰＳで検出された位置情報に対応する前記ローカル放送のチャンネルを受信可能に設定することを特徴とする情報処理装置。
【００６２】
（付記７）
付記６に記載の情報処理装置において、前記ローカル放送のサービスエリアの位置情報は、予め基地局の管理サーバに登録されていることを特徴とする情報処理装置。
【００６３】
（付記８）
付記１に記載の情報処理装置において、
前記ローカル放送認識手段は、チャンネルのサーチを行って予め登録された広域放送以外のローカル放送を認識し、
前記受信設定手段は、前記認識されたローカル放送のチャンネルを受信可能に設定することを特徴とする情報処理装置。
【００６４】
（付記９）
付記８に記載の情報処理装置において、
前記ローカル放送を認識するためのチャンネルのサーチは、前記情報処理装置により広域放送が視聴されている場合には、該広域放送の視聴に影響を与えないタイミングで実行されることを特徴とする情報処理装置。
【００６５】
（付記１０）
付記８に記載の情報処理装置において、
前記ローカル放送を認識するためのチャンネルのサーチは、サーチ専用に設けられたチューナにより実行されることを特徴とする情報処理装置。
【００６６】
（付記１１）
付記１に記載の情報処理装置において、
前記ローカル放送認識手段は、該情報処理装置が前記ローカル放送のサービスエリアにあることを認識して操作されるスイッチ手段を備えることを特徴とする情報処理装置。
【００６７】
（付記１２）
付記１に記載の情報処理装置において、
前記ローカル放送認識手段は、特定の広域放送の電界強度の低下を検出して前記ローカル放送のサービスエリアを認識するようになっていることを特徴とする情報処理装置。
【００６８】
（付記１３）
付記１１または１２に記載の情報処理装置において、
前記受信設定手段は、前記ローカル放送のサービスエリアを認識すると、受信感度を低下させて広域放送とローカル放送との識別を行い、当該ローカル放送のチャンネルを受信可能に設定することを特徴とする情報処理装置。
【００６９】
（付記１４）
付記１〜１３のいずれか１項に記載の情報処理装置に対して、ローカル放送を送信するローカル放送局を備えることを特徴とするローカル放送システム。
【００７０】
（付記１５）
付記１４に記載のローカル放送システムにおいて、さらに、前記情報処理装置に対して前記ローカル放送のサービスエリアを認識させる当該ローカル放送のサービスエリア近傍に設置された赤外線送信装置または無線送信装置を備えることを特徴とするローカル放送システム。
【００７１】
（付記１６）
付記１４に記載のローカル放送システムにおいて、該ローカル放送システムは、複数の店舗または売場を有する百貨店または大規模量販店、商店街、駅、遊園地、或いは、オフィスビル等に設置され、当該設置された対象の様々な情報を前記情報処理装置に表示させるローカル放送を提供することを特徴とするローカル放送システム。
【００７２】
（付記１７）
情報処理装置に設けられる放送受信回路であって、
ローカル放送のサービスエリアが認識されたとき、受信感度を低下させて広域放送とローカル放送との識別を行うことを特徴とする放送受信回路。
【００７３】
（付記１８）
放送を受信する高周波増幅器を有する高周波受信部と、
該高周波受信部の出力を復調する復調回路と、
ローカル放送のサービスエリアが認識されたとき、前記高周波増幅器のゲインを低下させて広域放送とローカル放送とを識別するゲイン制御手段と、を備えることを特徴とする放送受信回路。
【００７４】
（付記１９）
情報処理装置に設けられ、広域放送とローカル放送を切り換えて受信できる放送受信回路であって、
ローカル放送のサービスエリアが認識されたとき、受信感度を低下させてチャンネルをサーチする手段と、
広域放送とローカル放送との識別を行う手段と、
ローカル放送が認識されたとき、受信感度を戻して当該認識されたローカル放送のチャンネルを受信可能に設定する手段と、を備えることを特徴とする放送受信回路。
【００７５】
（付記２０）
付記１９に記載の放送受信回路において、
前記ローカル放送のサービスエリアの認識は、前記情報処理装置が当該ローカル放送のサービスエリアにあることを認識して操作されるスイッチ手段の出力を受信して行われることを特徴とする放送受信回路。
【００７６】
（付記２１）
付記１９に記載の放送受信回路において、
前記ローカル放送のサービスエリアの認識は、特定の広域放送の電界強度の低下を検出して行われることを特徴とする放送受信回路。
【００７７】
（付記２２）
付記１７〜２１のいずれか１項に記載の放送受信回路を、情報処理装置に組み込むチューナーモジュールとして構成したことを特徴とするチューナーモジュール。
【産業上の利用可能性】
【００７８】
本発明は、情報処理装置およびローカル放送システム、並びに、放送受信回路に関するもので、テレビ放送受信機能付携帯電話装置（ＴＶ付携帯電話）、ＰＤＡ、ノートパソコンおよび携帯型ゲーム器等の様々な放送受信機能を有する情報処理装置に対して幅広く適用することができる。
【図面の簡単な説明】
【００７９】
【図１】本発明が適用される情報処理装置の一例の全体構成を概略的に示すブロック図である。
【図２】図１に示す情報処理装置による現在位置および移動状態の検知を説明するための図である。
【図３】本発明に係る情報処理装置によるローカル放送局の自動検知を説明するための図である。
【図４】本発明に係る情報処理装置によるローカル放送局の自動検知の一例を説明するためのフローチャートである。
【図５】本発明に係る情報処理装置によるローカル放送局の自動検知の他の例を説明するためのフローチャートである。
【図６】本発明に係るローカル放送システムを適用した百貨店の例を概略的に示す図である。
【図７】図６に示すローカル放送システムにおいて本発明に係る情報処理装置に表示される画面の例を示す図である。
【図８】本発明に係る情報処理装置の一例における放送受信回路を概略的に示すブロック図である。
【図９】図８に示す放送受信回路におけるローカル放送局の検知処理の一例を説明するためのフローチャートである。
【符号の説明】
【００８０】
１    放送受信回路（チューナーモジュール）
１０    ＲＦ受信回路
１０ａ    アンプ
１１    復調回路
１２    汎用ポート（ＣＰＵ）
１３    トランジスタ
１３ａ，１３ｂ    抵抗
１４    アンテナ
１００，１００’    テレビ受信機能付携帯端末装置（ＴＶ付携帯電話）
１０１    放送受信部
１０２    通信用ＲＦ部
１０３    ＣＰＵ／ＤＳＰ
１０４，１０４’    ＩｒＤＡ部
１０５    ＷＬＡＮ／ＢＴ部
１０６    加速度検出部
１０７    ＧＰＳ部
１０８    地磁気検出部
１０９    ディスプレイ
１１０    テンキー
１１１    ＡＩＵ
１１２    スピーカ
１１３    マイク
２００    広域放送を行うテレビ放送局
２１１〜２１３    携帯電話の基地局
２２１〜２２３    ＧＰＳ衛星
２３０    ローカル放送局管理サーバ
２４１，２４２    ローカル放送局
３００    上りのエスカレータ
【図１】
2006196993.tif 000003
【図２】
2006196993.tif 000004
【図３】
2006196993.tif 000005
【図４】
2006196993.tif 000006
【図５】
2006196993.tif 000007
【図６】
2006196993.tif 000008
【図７】
2006196993.tif 000009
【図８】
2006196993.tif 000010
【図９】
2006196993.tif 000011